(57)【特許請求の範囲】
【請求項１】
前方には樋を支持する樋支持具本体を備え、且つ基端には下方に延びる脚片部を設けた取付杆と、壁面等に固定され、且つ、前記脚片部を上方から差し込む凹所を形成した固定部材と、よりなる樋支持具において、
上記脚片部は、膨出凸部を前方に突出形成した、平坦な嵌合凸面を有し、かつ
上記固定部材は、前記嵌合凸面を嵌合させる対応した平坦面に、前記膨出凸部が貫通される略同径の孔部を形成した凹所を形成するとともに、該孔部の前方に、該孔部よりも拡径された拡径孔部を形成しており、
前記脚片部は、前記膨出凸部を前記固定部材の前記孔部に貫通突出させてから、該膨出凸部の先端をカシメ加工させて前記拡径孔部に収納固定させることで、上記固定部材との裏面側に突出させないように固定される構造にしたことを特徴とする樋支持具。
【請求項２】
請求項１において、
膨出凸部及び孔部は、楕円形又は欠円形、或いは多角形に形成したことを特徴とする樋支持具。
【発明の詳細な説明】
【技術分野】
【０００１】
本発明は、軒先等に雨樋を取付けるための樋支持具に関する。
【背景技術】
【０００２】
従来の樋支持具には、様々な構造のものが存在するが、その一つとして、前方には樋を支持する樋支持具本体を備え、且つ基端には下方に延びる脚片部を設けた取付杆と、壁面等に固定され、且つ、前記脚片部を上方から差し込む凹所を形成した固定部材と、よりなる構造の樋支持具がある（例えば、特許文献１参照。）。
【０００３】
図３（ａ）、（ｂ）は、従来の樋支持具における前記脚片部と固定部材とのカシメ止め構造を示す要部の拡大断面図である。
【０００４】
この図３で示すように、脚片部１０１は、固定部材１０２の凹所１１２に差し込まれたうえで、脚片部１０１に形成した軸孔１１１と、固定部材１０２に形成した軸孔１２２とを重合させ、これら軸孔１１１、１２２にリベット１０３を貫通させてカシメ加工し、これら脚片部１０１と固定部材１０２とをカシメ止める構造にしている。
【０００５】
なお、リベット１０３は、図３で示した方向と逆方向から貫通されることもある。
【特許文献１】特開２００２−４７７６８号
【発明の開示】
【発明が解決しようとする課題】
【０００６】
しかしながら、脚片部１０１と固定部材１０２とをリベット１０３でカシメ止める構造のものでは、図３（ｂ）で示すように、リベット１０３の頭部１１３及びカシメ部１２３が、外側に向けて突出されるため、この突出されたカシメ部１２３（或いは頭部１１３）は、固定部材１０２を壁面等に固定する際の段差を生じさせるため、固定部材１０２を壁面等に面一に固定できず、固定部材１０２のガタツキが生じるという問題がある。
【０００７】
更に、脚片部１０１と固定部材１０２とをカシメ止める構造としてのリベット１０３が必要であるため、部品点数が増すうえ、生産コストも高くなる。
【０００８】
本発明は、かかる課題を解決することを目的としたものであり、リベットを不要にして部品点数を削減でき、また、固定部材を安定して壁面等に固定可能な樋支持具を提供する。
【課題を解決するための手段】
【０００９】
上記目的を達成するため、
請求項１に係る樋支持具は、前方には樋を支持する樋支持具本体を備え、且つ基端には下方に延びる脚片部を設けた取付杆と、壁面等に固定され、且つ、前記脚片部を上方から差し込む凹所を形成した固定部材と、よりなる樋支持具において、上記脚片部は、膨出凸部を前方に突出形成した、平坦な嵌合凸面を有し、かつ上記固定部材は、前記嵌合凸面を嵌合させる対応した平坦面に、前記膨出凸部が貫通される略同径の孔部を形成した凹所を形成するとともに、該孔部の前方に、該孔部よりも拡径された拡径孔部を形成しており、前記脚片部は、前記膨出凸部を前記固定部材の前記孔部に貫通突出させてから、該膨出凸部の先端をカシメ加工させて前記拡径孔部に収納固定させることで、上記固定部材との裏面側に突出させないように固定される構造にしたことを特徴とする。
【００１０】
請求項２に係る樋支持具は、請求項１において、膨出凸部及び段付き孔は、楕円形又は欠円形、或いは多角形に形成したことを特徴とする。
【発明の効果】
【００１１】
本発明によれば、次のような効果がある。
請求項１に係る樋支持具によれば、脚片部は、膨出凸部を前方に突出形成した、平坦な嵌合凸面を有し、かつ固定部材は、前記嵌合凸面を嵌合させる対応した平坦面に、前記膨出凸部が貫通される略同径の孔部を形成した凹所を形成するとともに、該孔部の前方に、該孔部よりも拡径された拡径孔部を形成しており、前記脚片部は、前記膨出凸部を前記固定部材の前記孔部に貫通突出させてから、該膨出凸部の先端をカシメ加工させて前記拡径孔部に収納固定させることで、上記固定部材との裏面側に突出させないように固定される構造にしている。
【００１２】
そのため、リベットを不要にして、部品点数を削減できるうえ、簡単且つ安価に生産できる。
【００１３】
また、貫通された膨出凸部の先端は、カシメ加工して拡径孔部に収納されるので、外側に向けて突出されず、そのため、固定部材を壁面等に安定して固定できる。
【００１４】
請求項２に係る樋支持具によれば、膨出凸部及び段付き孔は、楕円形又は欠円形、或いは多角形に形成しているので、カシメ加工後は、膨出凸部と段付き孔が回転規制され、固定部材と脚片部との振れを防止して壁面等に安定して固定できる。
【発明を実施するための最良の形態】
【００１５】
以下、本発明に係る樋支持具Ａを図面とともに説明する。
【実施例１】
【００１６】
図１（ａ）、（ｂ）は、本発明に係る樋支持具Ａの一実施例を示す斜視図であり、図２（ａ）、〜（ｃ）は、図１で示した樋支持具Ａの要部（破線で囲まれた部分）であるカシメ止める構造を示した拡大断面図である。
【００１７】
この樋支持具Ａは、図１（ａ）、（ｂ）で示すように、前方には樋（不図示）を支持する樋支持具本体１を備え、且つ基端には下方に延びる脚片部２を設けた取付杆３と、壁面等に固定され、且つ、脚片部２を上方から差し込む凹所４を形成した固定部材５と、よりなる。
【００１８】
ここで、図１（ａ）は、樋（不図示）を樋支持具本体１で受けて支持する受け式の樋支持具Ａの一例を示すものであり、図１（ｂ）は、、樋（不図示）を樋支持具本体１で吊下げて支持する吊下げ式の樋支持具Ａの一例を各々示したものであるが、これら受け式又は吊下げ式の何れの樋支持具Ａであっても構わない。
【００１９】
このような樋支持具Ａの脚片部２は、膨出凸部２１を前方に突出形成した、平坦な嵌合凸面２２を有し、且つ、固定部材５は、嵌合凸面２２を嵌合させる対応した平坦面４１に、膨出凸部２１が貫通される略同径の孔部５１を形成した凹所４を形成するとともに、孔部５１の前方に、該孔部５１よりも拡径された拡径孔部５２を形成している。
【００２０】
また、ここでの膨出凸部２１は、円形の柱状に形成しているため、これに応じて孔部５１も円形孔に形成されているが、この膨出凸部２１を楕円形又は欠円形、或いは多角形の柱状に形成すると共に、これに応じた形状に孔部５１を形成することもできる。
【００２１】
上記の如く構成した本発明の樋支持具Ａは、図２（ａ）〜（ｃ）に示す通り、以下の要領で、脚片部２と固定部材５とがカシメ止めされる。
【００２２】
先ず、脚片部２の膨出凸部２１を、固定部材５の裏側から段付き孔５３の孔部５１に向けて貫通すると共に、脚片部２を固定部材５の凹所４に嵌挿する〔図２（ａ）、（ｂ）参照。〕。
【００２３】
次いで、この貫通された膨出凸部２１の先端２１ａをプレス加工やカシメ機、ハンマー等で叩打すれば、この先端２１ａを拡径孔部５２に収納してカシメ加工され、脚片部２及び固定部材５がカシメ止めされるのである〔図２（ｃ）〕。
【００２４】
以上、説明した通り、本発明の樋支持具Ａによれば、従来のようなリベットを用いることなく脚片部２及び固定部材５をカシメ止めすることができる。
【００２５】
そのため、リベット部品を削減できるので、簡単且つ安価に生産できる。
【００２６】
また、貫通された膨出凸部２１の先端２１ａは、カシメ加工して拡径孔部５２に収納固定されるので、外側に向けて突出せず、更に、脚片部２は、固定部材５の凹所４に完全に嵌挿されるので、固定部材５の裏面側、すなわち、壁面等との取付面側には何も突出せず、固定部材５を壁面等に安定して固定できる。
【産業上の利用可能性】
【００２７】
本発明は、リベットが不要な樋支持具として有効に利用することが可能である。
【図面の簡単な説明】
【００２８】
【図１】（ａ）、（ｂ）は、本発明に係る樋支持具Ａの一実施例を示す斜視図である。
【図２】（ａ）〜（ｃ）は、図１で示した樋支持具Ａの要部であるカシメ止める構造を示した拡大断面図である。
【図３】（ａ）、（ｂ）は、従来の樋支持具におけるカシメ止める構造を示した要部の拡大断面図である。
【符号の説明】
【００２９】
Ａ  樋支持具
１  樋支持具本体
２  脚片部
２１膨出凸部
２２嵌合凸面 
３  取付杆
４  凹所
４１平坦面
５  固定部材
５１孔部
５２拡径孔部
５３段付き孔
【図１】
0003983760.tif 000002
【図２】
0003983760.tif 000003
【図３】
0003983760.tif 000004